(57)【要約】【課題】通信サービスエリアが大きく制約される短距離無線通信手段によりカラオケ選曲リモコン装置（携帯電話機）とカラオケ装置とが交信して希望曲の予約情報を伝えるものにおいて、利用者が選曲するという操作と予約のための通信処理との関係を合理的に統合させることで、使い勝手を向上させる。【解決手段】カラオケ装置の予約受付手段と交信する短距離無線通信手段と、曲目を列挙表示する手段と、利用者が希望曲を指定したならば、その曲目情報を予約中曲目としてリストに順番に登録して曲目を他と区別できる形式で表示する手段と、短距離無線通信手段が予約受付手段と通信リンクを確立し、かつ予約中曲目があれば、予約中曲目の情報を登録順番とともに予約受付手段に送達する手段と、正常通信後に予約中曲目をリストから除いて予約済曲目として記憶して他と区別する手段とをそなえる。【選択図】　　　図４
2004045495.tif 000002
【特許請求の範囲】
【請求項１】
つぎの要件（１１）〜（１５）を備えたことを特徴とするカラオケ選曲リモコン装置。
（１１）カラオケ装置の予約受付手段と交信する短距離無線通信手段
（１２）メモリ上の複数の曲目情報に基づいて曲目を列挙表示する表示手段
（１３）表示された曲目の中から利用者が希望曲を指定したならば、その曲目情報を予約中曲目としてリストに順番に登録するとともに、予約中曲目を他と区別できる形式で表示する手段
（１４）短距離無線通信手段が予約受付手段と通信リンクを確立し、かつリストに予約中曲目が登録されているならば、予約中曲目の情報を登録順番とともに予約受付手段に送達する手段
（１５）予約受付手段が予約中曲目の情報を受け取ったことを確認したならば、その予約中曲目をリストから除いて予約済曲目として記憶するとともに、予約済曲目を他と区別できる形式で表示する手段
【請求項２】
請求項１において、楽曲索引データベースと楽曲検索手段とを備え、検索された曲目情報に基づいて表示手段に曲目が列挙表示されることを特徴とするカラオケ選曲リモコン装置。
【請求項３】
ブラウザを搭載していてインターネットに接続できる携帯電話機であって、請求項１に記載の要件（１１）〜（１５）を備え、インターネット上の楽曲検索サーバーとのＨＴＴＰ通信によって検索された曲目情報に基づいて表示手段に曲目が列挙表示されることを特徴とする携帯電話機。
【請求項４】
短距離無線通信手段を備えた携帯電話機を統括的に制御する内蔵コンピュータにつぎの処理（２１）〜（２５）を実行させる携帯電話機の応用プログラム。
（２１）短距離無線通信手段によりカラオケ装置の予約受付手段と交信する処理
（２２）メモリ上の複数の曲目情報に基づいて曲目を列挙表示する処理
（２３）表示された曲目の中から利用者が希望曲を指定したならば、その曲目情報を予約中曲目としてリストに順番に登録するとともに、予約中曲目を他と区別できる形式で表示する処理
（２４）短距離無線通信手段が予約受付手段と通信リンクを確立し、かつリストに予約中曲目が登録されているならば、予約中曲目の情報を登録順番とともに予約受付手段に送達する処理
（２５）予約受付手段が予約中曲目の情報を受け取ったことを確認したならば、その予約中曲目をリストから除いて予約済曲目として記憶するとともに、予約済曲目を他と区別できる形式で表示する処理
【発明の詳細な説明】
【０００１】
【発明の属する技術分野】
この発明は、利用者の希望曲をカラオケ装置に短距離無線通信により予約するカラオケ選曲リモコン装置に関するとともに、インターネット接続可能な携帯電話機をカラオケ選曲リモコン装置として活用する技術に関する。
【０００２】
【発明の背景】
特開平８−１８５１９４号公報に記載されたカラオケ選曲リモコン装置では、利用者が検索機能を使って複数の希望曲を選んだ上で、利用者がたった１回の予約イベント操作を行うことで、選んだ複数の希望曲が一括してカラオケ装置に予約される。この方式によれば、希望曲を選ぶたびに予約イベント操作を行う一般の装置に比べて、操作が簡単になるとされている。しかし、希望曲を選ぶときには選択イベント操作を行うのであるから、操作が簡単になったとは実感しがたいものであった。しかも、最初に選んだ希望曲が、すべての希望曲を選んでからの最後の１回の予約イベント操作を行うまで予約されないため、使い方によっては、かえって不便に感じるものであった。
【０００３】
ところで最近、インターネット接続機能のある携帯電話機に短距離無線通信手段（ＩｒＤＡやブルートゥースなど）を付加した製品が発売された。この種の携帯電話機によれば、たとえば短距離無線通信手段を利用する応用プログラムをインターネット上の所定のサーバーから携帯電話機に取り込むことで、短距離無線通信手段を使ったさまざまな応用機能を実現することができる。
そのような応用例として、本出願人は、携帯電話機をカラオケ選曲リモコン装置として機能させる基盤システムを開発試作した。このシステムでは、利用者が所有する携帯電話機でインターネット上の楽曲検索サーバーにアクセスし、曲名検索とかアーチスト名検索など、さまざまな検索機能を使って希望曲をリストアップして自分の携帯電話機のメモリに保存しておくことができる。
その携帯電話機を持ってカラオケ店に行き、メモリに保存してある曲目リストを表示器の画面に呼び出し、カーソルで１曲を選び、予約イベント操作をする。このとき、携帯電話機の短距離無線通信手段の送受信器をカラオケ装置の短距離無線通信手段（予約受付手段）の送受信器に近づけておく。そうすると両者の無線通信が成立し、携帯電話機からカラオケ装置の予約受付手段に希望曲の情報が伝達されて、演奏予約の待ち行列に楽曲ＩＤが登録される。
【０００４】
出願人らが開発試作した前記のシステムでは、短距離無線通信手段としてＩｒＤＡを採用しており、携帯電話機の送受信器と予約受付手段の送受信器とを１０ｃｍ程度まで近づけ、かつ携帯電話機の向きも適切でないと、うまく予約情報の交信ができず、あまり使い勝手のいいものではなかった。
携帯電話機の画面を見てカーソルで１曲を選んで予約イベント操作を行うと、携帯電話機から予約受付手段に対して短距離無線通信による呼びかけが繰り返し行われ、予約受付手段がこれに応答すると、携帯電話機から予約受付手段に予約情報が伝達される。このことを携帯電話機側で確認すると、画面に「予約されました。つぎの曲を選んで予約できます。」といった意味の表示がなされる。しかし、予約受付手段と通信リンクが確立しない間は、携帯電話機の画面に「通信できません。もっと近づけてください。」といった意味の表示がなされる。
携帯電話機の画面を見ながらキーにより予約イベント操作をし、その携帯電話を持つ手を伸ばして予約受付手段に近づけて短距離無線通信を促し、予約のための通信が完了したのかどうかを携帯電話機の画面で確認する。これは、けっして使い勝手がいいとは言えない。
【０００５】
以上は携帯電話機の例であったが、たとえばパームトップ型コンピュータを応用したカラオケ選曲リモコン装置でも同様な課題がある。カラオケ選曲リモコン装置は楽曲索引データベースと楽曲検索手段とを備えており、検索により選出した希望曲について予約イベント操作をすると、ＩｒＤＡやブルートゥースなどの短距離無線通信手段によりカラオケ装置の予約受付手段に曲目情報が伝達されるのであるが、この短距離無線通信の部分において携帯電話機で例示したのと同様な使い勝手の問題が生じる。
【０００６】
【発明の開示】
通信サービスエリアが大きく制約される短距離無線通信手段によりカラオケ選曲リモコン装置（携帯電話機）とカラオケ装置とが交信して希望曲の予約情報を伝えるものにおいて、利用者が選曲するという操作と予約のための通信処理との関係を合理的に統合させることで、使い勝手を向上させることが本発明の目的である。
【０００７】
この目的を達成する本発明のカラオケ選曲リモコン装置は、つぎの要件（１１）〜（１５）を備えたことを特徴とするものである。
（１１）カラオケ装置の予約受付手段と交信する短距離無線通信手段
（１２）メモリ上の複数の曲目情報に基づいて曲目を列挙表示する表示手段
（１３）表示された曲目の中から利用者が希望曲を指定したならば、その曲目情報を予約中曲目としてリストに順番に登録するとともに、予約中曲目を他と区別できる形式で表示する手段
（１４）短距離無線通信手段が予約受付手段と通信リンクを確立し、かつリストに予約中曲目が登録されているならば、予約中曲目の情報を登録順番とともに予約受付手段に送達する手段
（１５）予約受付手段が予約中曲目の情報を受け取ったことを確認したならば、その予約中曲目をリストから除いて予約済曲目として記憶するとともに、予約済曲目を他と区別できる形式で表示する手段
以上のように構成されたカラオケ選曲リモコン装置において、望ましくは、楽曲索引データベースと楽曲検索手段とを備え、検索された曲目情報に基づいて表示手段に曲目が列挙表示される構成とする。
【０００８】
第２の発明に係る携帯電話機は、ブラウザを搭載していてインターネットに接続できる携帯電話機であって、前記の要件（１１）〜（１５）を備え、インターネット上の楽曲検索サーバーとのＨＴＴＰ通信によって検索された曲目情報に基づいて表示手段に曲目が列挙表示されるように構成されている。
【０００９】
また第３の発明は、短距離無線通信手段を備えた携帯電話機を統括的に制御する内蔵コンピュータにつぎの処理（２１）〜（２５）を実行させる携帯電話機の応用プログラムである。
（２１）短距離無線通信手段によりカラオケ装置の予約受付手段と交信する処理
（２２）メモリ上の複数の曲目情報に基づいて曲目を列挙表示する処理
（２３）表示された曲目の中から利用者が希望曲を指定したならば、その曲目情報を予約中曲目としてリストに順番に登録するとともに、予約中曲目を他と区別できる形式で表示する処理
（２４）短距離無線通信手段が予約受付手段と通信リンクを確立し、かつリストに予約中曲目が登録されているならば、予約中曲目の情報を登録順番とともに予約受付手段に送達する処理
（２５）予約受付手段が予約中曲目の情報を受け取ったことを確認したならば、その予約中曲目をリストから除いて予約済曲目として記憶するとともに、予約済曲目を他と区別できる形式で表示する処理
【００１０】
【発明の実施の形態】
この発明にかかるカラオケ選曲リモコン装置の実施例について説明する。図１および図２に例示したカラオケ選曲リモコン装置は、Ｂ５判ほどの寸法でやや厚みのあるパネル型でキーボードレスのコンピュータ（パームトップ型のコンピュータ）であり、外観的には装置正面の大部分が液晶表示パネル１ａに透明タッチセンサ１ｂを重ねた液晶タッチパネル１で占められ、内部には、ＣＰＵ・ＲＡＭ・ＲＯＭを含む中央処理装置２と、液晶表示パネル１ａを表示駆動する表示ドライバ３と、透明タッチセンサ１ｂに対する入力座標を検出する入力検出回路４と、大容量の外部記憶であるフラッシュメモリ５と、カラオケ装置の予約受付手段と交信するための短距離無線通信手段（ＩｒＤＡトランシーバ６・赤外線ＬＥＤ７・赤外線受光素子８）と、充電ステーションと結合して充電される電源電池（図示省略）と、充電ステーションに付属のデータ通信装置を介してカラオケ装置とデータ通信する通信制御部９などが実装されている。
赤外線ＬＥＤ７と赤外線受光素子８は、リモコン装置の上辺中央部に配設されており、液晶タッチパネル１の上方にその指向性が向くようにレイアウトされている。
【００１１】
中央処理装置２は、楽曲索引データベースをフラッシュメモリ５に格納して管理する。楽曲索引データベースは、カラオケ装置で演奏に供される多数の楽曲についての属性情報を記述したデータベースであり、楽曲番号・曲名・アーチスト名・歌い出し部分の歌詞・流行時期・音楽ジャンル区分・使用された映画やテレビドラマのタイトル・使用されたテレビＣＭ・各種音楽賞の受賞経歴・デュエット曲か否かなど、さまざまな属性情報がこれに含まれている。カラオケ選曲リモコン装置をカラオケ装置に接続されている充電ステーションに結合した状態において、中央処理装置２は通信制御部９を介してカラオケ装置とデータ通信し、楽曲索引データベースの内容を更新するようにシステム構成されている。
【００１２】
中央処理装置２は、利用者が希望の楽曲を楽曲索引データベースに基づいて検索するための処理を実行する。このデータベース検索処理の初期状態では、検索メニュー画面が液晶タッチパネル１に表示される。この検索メニュー画面の歌手名検索ボタンにタッチ入力すると、５０音のカナ文字パレット画面に表示が切り替わり、その画面上でカナ文字にタッチして歌手名の頭文字から順番に入力して（途中まででもよい）、検索実行ボタンにタッチ入力すると、楽曲索引データベースから該当する楽曲群が抽出されて列挙表示される。
【００１３】
このように複数の曲目が画面に表示され、その中から利用者が選曲してカラオケ装置に予約していくプロセスに関連し、中央処理装置２が実行する選曲処理および予約処理の概要を図３および図４のフローチャートに示している。以下、これらフローチャートに従って説明を進める。
【００１４】
利用者は、画面に列挙表示される曲目群の中に希望の曲があれば、その曲目にタッチ入力する。この入力を受けて中央処理装置２は、特定されたその曲目表示を選曲カーソルで修飾する（ステップ２０１→２０２→２０３）。これで利用者は選曲が受け付けられたことが分かる。
【００１５】
利用者は、選曲カーソルで修飾された曲目を予約しようと思ったなら、画面上の予約ボタンにタッチ入力する。この入力を受けて中央処理装置２は、選曲カーソルで修飾されている曲目の情報（少なくとも楽曲ＩＤ）をメモリ上の予約中曲目リストに登録するとともに（ステップ２０５）、その曲目を修飾していた選曲カーソルを予約中カーソルに変更する（ステップ２０６）。この表示変更を見て、利用者は自分の予約ボタン入力が受け付けられたことが分かる。なお、利用者が予約ボタンではなくて取消ボタンにタッチ入力すると、これに応答して中央処理装置２は前記の曲目を修飾していた選曲カーソルを消去する（ステップ２０７→２０８→２０１）。
【００１６】
なお以下の説明で明らかになるが、選曲カーソルで指定できる曲目は１つだけであるが、選曲カーソルで曲目を指定してから予約ボタンにタッチ入力し、選曲カーソルが予約中カーソルに変更になれば、新たな選曲カーソルで別の１曲を指定することができ、それについても予約ボタンにタッチ入力すれば予約中カーソルに変更になる。このようにして複数の曲目を予約中曲目リストに登録することができる。
【００１７】
予約中曲目を予約中カーソルで修飾するのではなく、予約中曲目の表示枠を別に設定してそこに曲目を表示してもよい。その別枠の予約中曲目は常時表示されている必要はなく、それを表示するように指示入力があったときにだけ表示する方式でもよい。
【００１８】
中央処理装置２は、図３に示した選曲処理と並行して図４の予約処理も実行しており、短距離無線通信手段（ＩｒＤＡトランシーバ６・赤外線ＬＥＤ７・赤外線受光素子８）がカラオケ装置の予約受付手段と通信リンクを確立できているか否かをチェックしている（ステップ３０１）。通信リンクが確立している場合はステップ３０２に進み、前記リストに予約中曲目が登録されているか否かをチェックし、予約中曲目が存在しなければステップ３０６で「予約希望なし」をカラオケ装置の予約受付手段に通知してステップ３０１に戻る。
【００１９】
予約中曲目がリストに登録されている場合は、ステップ３０３に進み、リストに登録されている１曲または複数曲の予約中曲目をカラオケ装置の予約受付手段に通知する。複数曲ある場合は、その登録順番の情報も通知する。そして、カラオケ装置の予約受付手段が通知を正しく受け取ったことを確認したならば、通知した曲目について、画面上の前記予約中カーソルを予約済カーソルに変更することで、利用者に予約ができたことを知らせる（ステップ３０４→３０５）。
【００２０】
なお、予約の通知が終了した時点で予約中カーソル（または予約中表示枠に表示されている曲目）を数回ブリンクさせてから消去するなど、予約済であることを知らせた後は、その予約済曲目について表示し続ける必要はない。もちろん、別の画面で予約済の曲目リストを表示できるようにしてもよい。
【００２１】
以上の実施例においては、ステップ３０１で通信リンクの確立を検出してからステップ３０２で予約中曲目が登録されているか否かをチェックしている。これは、通信リンクの確立をカラオケ装置の予約受付手段が主体的に行うことを意味している。つまり、カラオケ装置の予約受付手段が呼びかけ信号を定期的に発信し、これに応答してくるカラオケ選曲リモコン装置を待っているのである。カラオケ選曲リモコン装置の短距離無線通信手段がカラオケ装置の予約受付手段からの呼びかけ信号を検出したならば、これに応答して通信リンクを確立する。
【００２２】
この発明は前記の実施例に限定されない。中央処理装置２は、前記リストに予約中曲目が登録されたことを契機として、自らの短距離無線通信手段から呼びかけ信号を発信し、カラオケ装置の予約受付手段がこれに応答したならば、通信リンクを確立し、曲目情報を通知するというシーケンスを採ることもできる。
【００２３】
【発明の効果】
この発明によれば、利用者は、カラオケ選曲リモコン装置（携帯電話機）がカラオケ装置の予約受付手段と通信して希望曲を予約しているのかどうかを逐一気にしなくても、自分の希望曲をつぎつぎと選択していくことができ、それらの曲目ががつぎつぎと予約中曲目リストに登録される。そして、リストに予約中曲目が登録されていて、かつ通信リンクが確立する状態になると、利用者が意識していなくても、また利用者が送信を指示するような操作をしなくても、自動的にカラオケ装置に予約する処理が実行されることになり、きわめて使い勝手がよくなる。
【図面の簡単な説明】
【図１】この発明の一実施例によるカラオケ選曲リモコン装置の概略外観図である。
【図２】同上リモコン装置の電子システム構成の概要を示すブロック図である。
【図３】同上リモコン装置の選曲処理の概要を示すフローチャートである。
【図４】同上リモコン装置の予約処理の概要を示すフローチャートである。
【符号の説明】
６　ＩｒＤＡトランシーバ
７　赤外線ＬＥＤ
８　赤外線受光素子
【図１】
2004045495.tif 000003
【図２】
2004045495.tif 000004
【図３】
2004045495.tif 000005
【図４】
2004045495.tif 000006